(57)【要約】      （修正有）【課題】パーソナルモバイルのタッチ通信機器に配置するリモコン送信機を提供する。【解決手段】パーソナルモバイルのタッチ通信機器に配置するリモコン送信機１は、パーソナルモバイルのタッチ通信機器の制御データを受信し、エンコーダ２に送信する伝送インタフェースと、航空制御モジュールの信号をエンコードして制御信号を生成し、無線送信モジュール３に伝送するエンコーダと、エンコーダによってエンコードされた制御信号をリモコン玩具に送信する無線送信モジュールとを含んでなる。前記部材の組み合わせにより、パーソナルモバイルのタッチ通信機器を使用するだけで、玩具をリモートコントロールでき、便利性と娯楽性を高められる。【選択図】図８
0003173446.tif 000002
【実用新案登録請求の範囲】
【請求項１】
パーソナルモバイルのタッチ通信機器の制御データを受信し、エンコーダに送信する伝送インタフェースと、
航空制御モジュールの信号をエンコードして制御信号を生成し、無線送信モジュールに伝送するエンコーダと、
エンコーダによってエンコードされた制御信号をリモコン玩具に送信する無線送信モジュールとを含んでいることを特徴とするパーソナルモバイルのタッチ通信機器に配置するリモコン送信機。
【請求項２】
前記伝送インタフェースは、３．５ｍｍプラグと、３０ピンコネクタと、マイクロユニバーサルシリアルバスプラグインタフェースと、ミニユニバーサルシリアルバスプラグインタフェースと、ユニバーサルシリアルバスと３．５ｍｍプラグの変換ケーブルとのいずれかであることを特徴とする請求項１に記載のパーソナルモバイルのタッチ通信機器に配置するリモコン送信機。
【請求項３】
更にケースを含み、前記ケースは、前記パーソナルモバイルのタッチ通信機器のフレーム体に被嵌し、尚且つ、外殻体と結合し、前記外殻体内には、前記伝送インタフェースと、前記エンコーダと、前記無線送信モジュールとを含み、しかも前記伝送インタフェースはパーソナルモバイルのタッチ通信機器に配置するリモコン送信機の短い方の端面に接続し設置することを特徴とする請求項１に記載のパーソナルモバイルのタッチ通信機器に配置するリモコン送信機。
【請求項４】
前記ケースは、更に折り線を備え、前記伝送インタフェースは前記パーソナルモバイルのタッチ通信機器の短い方の端面に相対して角度を呈することを特徴とする請求項３に記載のパーソナルモバイルのタッチ通信機器に配置するリモコン送信機。
【請求項５】
更にリモコン応用プログラムを含み、前記リモコン応用プログラムは、前記パーソナルモバイルのタッチ通信機器のメモリ内にプリインストールするか、クラウドコンピューターからのダウンロードで前記パーソナルモバイルのタッチ通信機器のメモリ内にプリインストールし、
また、前記リモコン応用プログラムは、メインプログラムとユーザインタフェースサブプログラムとを含み、
そのうち、前記ユーザインタフェースサブプログラムは、前記パーソナルモバイルのタッチ通信機器のタッチモニタにある複数個のプッシュボタンによる外部入力信号を受信し、前記メインプログラムは、受信したユーザインタフェースサブプログラム信号を計算、判読後、送信機の前記伝送インタフェースを通して前記エンコーダに送信することを特徴とする請求項１に記載のパーソナルモバイルのタッチ通信機器に配置するリモコン送信機。
【請求項６】
前記リモコン応用プログラムは、更に３軸重力センササブプログラムを含み、前記３軸重力センササブプログラムは、前記パーソナルモバイルのタッチ通信機器の３軸重力センサのセンサ信号を受信した後、前記メインプログラムに送信することを特徴とする請求項５に記載のパーソナルモバイルのタッチ通信機器に配置するリモコン送信機。
【請求項７】
前記無線送信モジュールは、更に無線受信機を含み、リモコン応用プログラムには、更に学習サブプログラムを含み、
そのうち、前記学習サブプログラムは、前記無線受信機を通して受信したその他リモコンのリモコン周波数を前記パーソナルモバイルのタッチ通信機器のメモリに保存し、前記リモコン周波数は、前記学習サブプログラムを通したメインプログラムによって呼び出されることを特徴とする請求項３、或いは請求項５に記載のパーソナルモバイルのタッチ通信機器に配置するリモコン送信機。
【請求項８】
前記ユーザインタフェースサブプログラムは、複数個の方向制御ボタン、一つの加速ボタン、複数個の周波数帯選択ボタン、或いはその組み合わせを含み、それは前記パーソナルモバイルのタッチ通信機器のタッチモニタに出力されることを特徴とする請求項５、或いは請求項６、或いは請求項７に記載のパーソナルモバイルのタッチ通信機器に配置するリモコン送信機。
【請求項９】
前記ユーザインタフェースサブプログラムには、更に定方向ボタンを含むことを特徴とする請求項５に記載のパーソナルモバイルのタッチ通信機器に配置するリモコン送信機。
【請求項１０】
前記ユーザインタフェースサブプログラムには、更に着陸ボタンを含むことを特徴とする請求項５に記載のパーソナルモバイルのタッチ通信機器に配置するリモコン送信機。
【考案の詳細な説明】
【技術分野】
【０００１】
本考案は、リモコン玩具に関し、リモコン送信機をパーソナルモバイルのタッチ通信機器に配置し、ソフトウェアプログラムを起動してリモコン玩具をコントロールする技術範疇に係る。
【背景技術】
【０００２】
一般のリモコン玩具は、公知のリモコン９（図１４参照）を付属しており、そのうち、公知のリモコン９は、ワイヤレスリモコン信号を送信し、エンコーダ及びワイヤレス送信機等の回路を内蔵する。リモコン信号は、公知のリモコン９上に配置した方向制御ボタン９１と周波数帯選択ボタン９２とプッシュボタン９３と加速ボタン９４等によって、前記回路を経て送信され、玩具をリモートコントロールする。
【０００３】
また、現在、科学技術が日進月歩の発達を続ける中、パーソナルモバイル通信機器の超小型処理装置（ＣＰＵ）、メモリ（ＲＡＭ）、ディスプレイ（ＬＣＤパネル）のグレードは、益々アップしている。よって、パーソナルモバイルのタッチ通信機器は、通信機能を備えるほか、写真撮影、映像録画、映像及び音声の再生、インターネット、メールの送受信、文書編集、ゲーム等のその他作業が行える。しかも、元来の複数個のプッシュボタンを改良したタッチパネルによって、パーソナルモバイルのタッチ通信機器をリモートコントロールする目的を達成し、例えば、通信接続、映像及び音声の再生、写真撮影、無線LAN、ウェブサイト閲覧、文書編集、ゲーム等はすべてタッチモニタでの操作で実行できる。
【０００４】
更に、現在のパーソナルモバイルのタッチ通信機器に内蔵の３軸重力センサ（g-sensor）によって、ゲームの人物方向をコントロールしたり、写真閲覧時に携帯電話を揺り動かすだけで自動的に方向転換させられる。
【考案の概要】
【考案が解決しようとする課題】
【０００５】
しかしながら、公知のリモコンは体積が大きく、携帯に不便である。また、現在のパーソナルモバイルのタッチ通信機器は、機能が強化されたため、日に日に普及が続き、以後は一人が一つを所持するようにもなるだろう。なお、内蔵した３軸重力センサ（g-sensor）は、ゲームソフトのコントロールに使用するだけで、十分に運用されないなら、非常に残念なことである。
【０００６】
本考案は、玩具のリモコンを整合するパーソナルモバイルのタッチ通信機器に配置するリモコン送信機を提供することを主な目的とする。
【０００７】
本考案は、多種玩具の各リモコンを整合するパーソナルモバイルのタッチ通信機器に配置するリモコン送信機を提供することを次の目的とする。
【０００８】
本考案は、パーソナルモバイルのタッチ通信機器を動かして玩具をリモートコントロールするパーソナルモバイルのタッチ通信機器に配置するリモコン送信機を提供することを目的とする。
【０００９】
本考案は、リモコン信号の干渉を防ぎ、リモコン送信機を保護するリモコン送信機を提供することをもう一つの目的とする。
【課題を解決するための手段】
【００１０】
本考案者は前記問題点に鑑み、長期的なリモコン玩具の研究と構想を重ね、パーソナルモバイルのタッチ通信機器に配置するリモコン送信機を生み出した。それは、パーソナルモバイルのタッチ通信機器に配置するリモコン送信機と、パーソナルモバイルのタッチ通信機器の制御データを受信し、エンコーダに送信する伝送インタフェースと、航空制御モジュールの信号をエンコードして制御信号を生成し、無線送信モジュールに伝送するエンコーダと、エンコーダによってエンコードされた制御信号をリモコン玩具に送信する無線送信モジュールとを含んでなる。
【００１１】
伝送インタフェースは、３．５ｍｍプラグと、３０ピンコネクタと、マイクロユニバーサルシリアルバス（ＭＩＣＲＯ  ＵＳＢ）プラグインタフェースと、ミニユニバーサルシリアルバス（ＭＩＮＩ  ＵＳＢ）プラグインタフェースと、ユニバーサルシリアルバス（ＵＳＢ）と３．５ｍｍプラグの変換ケーブルとのいずれかである。
【００１２】
パーソナルモバイルのタッチ通信機器に配置するリモコン送信機は、更にケースを含み、ケースは、パーソナルモバイルのタッチ通信機器のフレーム体に被嵌し、尚且つ、外殻体と結合し、そのうち、外殻体内には、伝送インタフェースと、エンコーダと、無線送信モジュールとを含み、しかも伝送インタフェースはパーソナルモバイルのタッチ通信機器に配置されたリモコン送信機の短い方の端面に接続し設置する。
【００１３】
ケースは、更に折り線を備え、伝送インタフェースはパーソナルモバイルのタッチ通信機器の短い方の端面に相対して角度を呈する。
【００１４】
前述のパーソナルモバイルのタッチ通信機器に配置するリモコン送信機には、更にリモコン応用プログラムを含む。そのリモコン応用プログラムは、パーソナルモバイルのタッチ通信機器のメモリ内にプリインストールするか、クラウドコンピューターからのダウンロードでパーソナルモバイルのタッチ通信機器のメモリ内にプリインストールする。また、リモコン応用プログラムは、メインプログラムとユーザインタフェースサブプログラムとを含む。そのうち、ユーザインタフェースサブプログラムは、パーソナルモバイルのタッチ通信機器のタッチモニタにある複数個のプッシュボタンによる外部入力信号を受信し、メインプログラムが受信したユーザインタフェースサブプログラム信号を計算、判読した後、送信機の伝送インタフェースを通してエンコーダに送信する。
【００１５】
リモコン応用プログラムは、更に３軸重力センササブプログラムを含み、その３軸重力センササブプログラムは、パーソナルモバイルのタッチ通信機器の３軸重力センサのセンサ信号を受信した後、再びメインプログラムに送信する。
【００１６】
無線送信モジュールは、更に無線受信機を含み、リモコン応用プログラムには、更に学習サブプログラムを含む。そのうち、学習サブプログラムは、無線受信機を通して受信したその他リモコンのリモコン周波数をパーソナルモバイルのタッチ通信機器のメモリに保存する。リモコン周波数は、学習サブプログラムを通したメインプログラムによって呼び出される。
【００１７】
ユーザインタフェースサブプログラムは、複数個の方向制御ボタン、一つの加速ボタン、複数個の周波数帯選択ボタン、定方向ボタン、着陸ボタン或いはその組み合わせを含み、それはパーソナルモバイルのタッチ通信機器のタッチモニタに出力される。
【考案の効果】
【００１８】
以上の説明から理解できるように、本考案と公知技術を比較すると、次に示す効果が確実に達成される。
【００１９】
１.本考案は、玩具のリモコンをパーソナルモバイルのタッチ通信機器のリモコン送信機に整合させることができ、リモコン送信機をパーソナルモバイルのタッチ通信機器に取り付けるだけで、リモコン応用プログラムを起動し、玩具をリモートコントロールする。また、ユーザの利便性を高め、パーソナルモバイルのタッチ通信機器による娯楽性を多様化することができる。
【００２０】
２.本考案は、リモコン応用プログラムに学習サブプログラムを別に内蔵し、多種リモコンのリモコン信号周波数を受信及び整合して使用するものであり、対応させて配置した複数個の周波数帯選択ボタンをユーザーが選択すると、パーソナルモバイルのタッチ通信機器によって多種の玩具をリモートコントロールすることができ、ユーザーの利便性を高められる。
【００２１】
３.本考案は、パーソナルモバイルのタッチ通信機器の性能を十分に発揮することができる。リモコン応用プログラムをパーソナルモバイルのタッチ通信機器内部の重力センサ（g-sensor）に結合し、ユーザーがパーソナルモバイルのタッチ通信機器を揺り動かすことによって、玩具の運動方向をリモートコントロールするため、パーソナルモバイルのタッチ通信機器のタッチモニタに触れる必要がない。
【００２２】
４.本考案は、パーソナルモバイルのタッチ通信機器にケースを被嵌することで、受信障害を防ぎ、リモコン送信機が飛び出したり抜け落ちるのを防ぎ、リモコン送信機の安全性を高め、それを保護する。
【図面の簡単な説明】
【００２３】
【図１】本考案の実施例に関するリモコン送信機の構造図である。
【図２】本考案の実施例に関するリモコン応用プログラムのブロック図である。
【図３】本考案の実施例に関する３．５ｍｍプラグを示した図である。
【図４】本考案の実施例に関する３０ピンコネクタを示した図である。
【図５】本考案の実施例に関するマイクロユニバーサルシリアルバスプラグインタフェースを示した図である。
【図６】本考案の実施例に関するミニユニバーサルシリアルバスプラグインタフェースを示した図である。
【図７】本考案の実施例に関するユニバーサルシリアルバスと３．５ｍｍプラグの変換ケーブルを示した図である。
【図８】本考案の実施例に関する動作の流れを示したブロック図である。
【図９】本考案の実施例に関し、単一機器で多種玩具の操作が可能であることを示した図である。
【図１０】本考案の実施例に関し、ケースとの結合を示した分解図である。
【図１１】本考案の実施例に関し、ケースとの結合を示した分解図である。
【図１２】本考案の実施例に関し、ケースとの結合を示したもう一つの分解図である。
【図１３】本考案の実施例に関し、ケースとの結合を示したもう一つの分解図である。
【図１４】公知のリモコンの平面図である。
【考案を実施するための形態】
【実施例】
【００２４】
図１から図７の本考案の実施例に示すとおり、本考案は、パーソナルモバイルのタッチ通信機器に配置するリモコン送信機に関するもので、リモコン送信機１とリモコン応用プログラム４とを含む。
【００２５】
リモコン送信機１は、伝送インタフェース１１と、エンコーダ２と、無線送受信モジュール３とを備え、前記部材は外殻体１０内に配置し、伝送インタフェース１１は、外殻体１０に露出し突出する。そのうち、伝送インタフェース１１は、３．５ｍｍプラグ１１１、３０ピンコネクタ１１２、マイクロユニバーサルシリアルバスプラグインタフェース１１３或いはミニユニバーサルシリアルバスプラグインタフェース１１４とし、パーソナルモバイルのタッチ通信機器５に設けた対応孔に挿入し、或いはユニバーサルシリアルバスと３．５ｍｍプラグの変換ケーブル及びユニバーサルシリアルバス接続口５６を運用し、パーソナルモバイルのタッチ通信機器５の制御データを受信し、エンコーダ２に伝送する。
【００２６】
図３は、３．５ｍｍプラグ１１１が３．５ｍｍジャック５２に挿入された図である。
図４は、３０ピンコネクタ１１２が３０ピン接続口５３に挿入された図である。
図５は、マイクロユニバーサルシリアルバスプラグインタフェース１１３がマイクロユニバーサルシリアルバス接続口５４に挿入された図である。
図６は、ミニユニバーサルシリアルバスプラグインタフェース１１４がミニユニバーサルシリアルバス接続口５５に挿入された図である。
図７は、ユニバーサルシリアルバスと３．５ｍｍプラグの変換ケーブル１１５を運用し、その一端は３．５ｍｍジャック１１５１とし、且つリモコン送信機１の３．５ｍｍプラグ１１１に挿入され、もう一端はユニバーサルシリアルバス接続口１１５２とし、パーソナルモバイルのタッチ通信機器５のユニバーサルシリアルバス接続口５６に挿入された図である。
パーソナルモバイルのタッチ通信機器５の制御データを受信し、リモコン送信機１に伝送する。
【００２７】
エンコーダ２は、受信したパーソナルモバイルのタッチ通信機器５のデータをエンコードしてデータを生成した後、無線送受信モジュール３に伝送する。無線送受信モジュール３は、エンコーダ２によってエンコードされた制御信号７をリモコン玩具８に送信し、玩具８の動きをコントロールする。
【００２８】
図２及び図３に示したリモコン応用プログラム４を参照すると、該リモコン応用プログラム４は、パーソナルモバイルのタッチ通信機器５のメモリ内にプリインストールするか、遠隔サーバ（クラウドコンピューター）からダウンロードしてパーソナルモバイルのタッチ通信機器５のメモリ内にプリインストールする。また、リモコン応用プログラム４は、メインプログラム４１と、ユーザインタフェースサブプログラム４２と、学習サブプログラム４４とを含む。そのうち、ユーザインタフェースサブプログラム４２は、パーソナルモバイルのタッチ通信機器５のタッチモニタ５１に示された複数個のプッシュボタンのタッチ入力信号を受信し、メインプログラム４１によって受信されたユーザインタフェースサブプログラム４２のタッチ信号は、計算、判読された後、更に、リモコン送信機１に送られる。
【００２９】
また、ユーザインタフェースサブプログラム４２は、パーソナルモバイルのタッチ通信機器５のタッチモニタ５１に出力表示される複数個の方向操作ボタン４２１と、一つの加速ボタン４２２と、複数個の周波数帯選択ボタン４２３とを含んでいる。また、学習サブプログラム４４は、無線送受信モジュール３を通して、その他の各種玩具８とリモコンのリモコン周波数（例えば赤外線）を受信して、パーソナルモバイルのタッチ通信機器５のメモリ内に保存する。尚、該リモコン周波数は、適時ユーザインタフェースサブプログラム４２によって呼び出すことができる。
【００３０】
図３から図９に示すとおり、前記部材の構成による本考案のリモコン送信機１から送信されるリモコン信号は、固定周波数とすることも可能であり、玩具８がその周波数に符合すれば、コントロールを受けられる。本考案は、各種の異なる周波数を選択して送信することを可能とする。言い換えれば、パーソナルモバイルのタッチ通信機器５に位置するリモコン応用プログラム４を実行し（該機器は、目下流行中のアイフォン、アイパッド、アイポッド、その他のタッチパネル通信機器またはタッチパネルを備えた携帯電話とする。）、リモコン応用プログラム４と玩具８の周波数を対応させる方式で、パーソナルモバイルのタッチ通信機器５を学習タイプ（或いは万用タイプ）のリモコンに変身させる。本考案の送信するリモコン信号が固定式、選択式のいずれかであっても、まず、リモコン送信機１の３．５ｍｍプラグ１１１、３０ピンコネクタ１１２、マイクロユニバーサルシリアルバスプラグインタフェース１１３、ミニユニバーサルシリアルバスプラグインタフェース１１４、ユニバーサルシリアルバスと３．５ｍｍプラグの変換ケーブル１１５のいずれかをパーソナルモバイルのタッチ通信機器５に配置した対応孔に挿入して、パーソナルモバイルのタッチ通信機器５にプリインストールのリモコン応用プログラム４を実行する。メインプログラム４１がユーザインタフェースサブプログラム４２を呼び出して実行すると、タッチモニタ５１には、複数個の方向操作ボタン４２１と、加速ボタン４２２と、複数個の周波数帯選択ボタン４２３等の多種タッチプッシュボタンが表示される。ユーザがこれらのタッチプッシュボタンの方向操作ボタン４２１に接触するだけで、玩具８（例えば、リモコンヘリコプター８１、リモコン自動車８２、リモコンボート８３のいずれか一種）の運動方向をコントロールし、加速ボタン４２２によって、玩具８の加速と減速運動をコントロールし、定方向ボタン４２４によって玩具に特定方向の運動をおこなわせる。周波数帯選択ボタン４２３をタッチすることで、コントロールしたい玩具８（リモコンヘリコプター８１、リモコン自動車８２、リモコンボート８３、その他リモコン玩具を含む）を選択できる。特に説明する点であるが、リモコンヘリコプター８１またはその他の飛行玩具のリモートコントロールに応用する場合は、ユーザインタフェースサブプログラム４２には、更に着陸ボタン４２５を備え、着陸ボタン４２５によって、リモコンヘリコプター８１或いはその他飛行玩具の自動減速から着陸に至るまでをコントロールする。
【００３１】
図８及び図９に示すとおり、本考案は、パーソナルモバイルのタッチ通信機器５の３軸重力センサ（ｇ−ｓｅｎｓｏｒ）機能を十分に応用し、リモコン応用プログラム４には更に、３軸重力センササブプログラム４３を含み、該サブプログラムの内蔵によって、パーソナルモバイルのタッチ通信機器５を動かして玩具８をリモートコントロールする目的を果たす。例えば、ユーザーがパーソナルモバイルのタッチ通信機器５をＸ方向に揺らした時には、玩具８がＸ方向に動き、Ｙ方向に揺らした時には、玩具８がＹ方向に動く。これにより、ユーザーはタッチ方向によって方向操作ボタン４２１を操作せずに、玩具８の運動方向をコントロールすることができる。
【００３２】
図１０及び図１１に示すとおり、本考案のリモコン送信機１は、ケース６と一体成形することも可能である。また、ケース６は、ゴム材質によって製作し、事前に、リモコン送信機１の３．５ｍｍプラグ１１１或いは３０ピンコネクタ１１２をパーソナルモバイルのタッチ通信機器５に配置した対応孔に挿入した後、ケース６を調整してパーソナルモバイルのタッチ通信機器５の周囲に被嵌する。ケース６には弾性効果を備えさせてあるため、更に操作を簡単容易にし、尚且つ、パーソナルモバイルのタッチ通信機器５の受信障害を防ぐ。
【００３３】
図１２及び図１３に示すとおり、本考案のリモコン送信機１の外殻体１０は、ケース６と一体成形し、しかも相互に特定の角度θを呈する。また、ケース６は、ゴム材質によって製作し、折り線６１を備え、リモコン送信機１の３．５ｍｍプラグ１１１或いは３０ピンコネクタ１１２をパーソナルモバイルのタッチ通信機器５に配置した対応孔に挿入した後、ケース６を調整してパーソナルモバイルのタッチ通信機器５の周囲に被嵌する。ケース６には弾性効果を備えさせてあるため、更に操作を簡単容易にし、尚且つ、パーソナルモバイルのタッチ通信機器５の受信障害を防ぐ。
【符号の説明】
【００３４】
１    リモコン送信機
１１    伝送インタフェース
１１１    ３．５ｍｍプラグ
１１２  ３０ピンコネクタ
１１３    マイクロユニバーサルシリアルバスプラグインタフェース
１１４    ミニユニバーサルシリアルバスプラグインタフェース
１１５    ユニバーサルシリアルバスと３．５ｍｍプラグの変換ケーブル
１１５１  ３．５ｍｍジャック
１１５２  ユニバーサルシリアルバス接続口
２    エンコーダ
３    無線送受信モジュール
４    リモコン応用プログラム
４１    メインプログラム
４２    ユーザインタフェースサブプログラム
４２１  方向操作ボタン
４２２  加速ボタン
４２３  周波数帯選択ボタン
４２４  定方向ボタン
４２５  着陸ボタン
４３    ３軸重力センササブプログラム
４４    学習サブプログラム
５    パーソナルモバイルのタッチ通信機器
５１    タッチモニタ
５２    ３．５ｍｍジャック
５３    ３０ピン接続口
５４      マイクロユニバーサルシリアルバス接続口
５５      ミニユニバーサルシリアルバス接続口
５６      ユニバーサルシリアルバス接続口
６    ケース
６１      折り線
７    制御信号
８    玩具
８１    リモコンヘリコプター
８２    リモコン自動車
８３    リモコンボート
θ        特定の角度
９    公知のリモコン
９１    方向制御ボタン
９２    周波数帯選択ボタン
９３    プッシュボタン
９４    加速ボタン
【図１】
0003173446.tif 000003
【図２】
0003173446.tif 000004
【図３】
0003173446.tif 000005
【図４】
0003173446.tif 000006
【図５】
0003173446.tif 000007
【図６】
0003173446.tif 000008
【図７】
0003173446.tif 000009
【図８】
0003173446.tif 000010
【図９】
0003173446.tif 000011
【図１０】
0003173446.tif 000012
【図１１】
0003173446.tif 000013
【図１２】
0003173446.tif 000014
【図１３】
0003173446.tif 000015
【図１４】
0003173446.tif 000016
【手続補正書】
【提出日】平成23年12月1日(2011.12.1)
【手続補正１】
【補正対象書類名】明細書
【補正対象項目名】全文
【補正方法】変更
【補正の内容】
【考案の詳細な説明】
【技術分野】
【０００１】
本考案は、リモコン玩具に関し、リモコン送信機をタッチパネル式パーソナル通信機器に配置し、ソフトウェアプログラムを起動してリモコン玩具をコントロールする技術範疇に係る。
【背景技術】
【０００２】
一般のリモコン玩具は、公知のリモコン９（図１４参照）を付属しており、そのうち、公知のリモコン９は、ワイヤレスリモコン信号を送信し、エンコーダ及びワイヤレス送信機等の回路を内蔵する。リモコン信号は、公知のリモコン９上に配置した方向制御ボタン９１と周波数帯選択ボタン９２とプッシュボタン９３と加速ボタン９４等によって、前記回路を経て送信され、玩具をリモートコントロールする。
【０００３】
また、現在、科学技術が日進月歩の発達を続ける中、パーソナルモバイル通信機器の超小型処理装置（ＣＰＵ）、メモリ（ＲＡＭ）、ディスプレイ（ＬＣＤパネル）のグレードは、益々アップしている。よって、タッチパネル式パーソナル通信機器は、通信機能を備えるほか、写真撮影、映像録画、映像及び音声の再生、インターネット、メールの送受信、文書編集、ゲーム等のその他作業が行える。しかも、元来の複数個のプッシュボタンを改良したタッチパネルによって、タッチパネル式パーソナル通信機器をリモートコントロールする目的を達成し、例えば、通信接続、映像及び音声の再生、写真撮影、無線LAN、ウェブサイト閲覧、文書編集、ゲーム等はすべてタッチモニタでの操作で実行できる。
【０００４】
更に、現在のタッチパネル式パーソナル通信機器に内蔵の３軸重力センサ（g-sensor）によって、ゲームの人物方向をコントロールしたり、写真閲覧時に携帯電話を揺り動かすだけで自動的に方向転換させられる。
【考案の概要】
【考案が解決しようとする課題】
【０００５】
しかしながら、公知のリモコンは体積が大きく、携帯に不便である。また、現在のタッチパネル式パーソナル通信機器は、機能が強化されたため、日に日に普及が続き、以後は一人が一つを所持するようにもなるだろう。なお、内蔵した３軸重力センサ（g-sensor）は、ゲームソフトのコントロールに使用するだけで、十分に運用されないなら、非常に残念なことである。
【０００６】
本考案は、玩具のリモコンを整合するリモコン送信機を提供することを主な目的とする。
【０００７】
本考案は、多種玩具の各リモコンを整合するリモコン送信機を提供することを次の目的とする。
【０００８】
本考案は、タッチパネル式パーソナル通信機器を動かして玩具をリモートコントロールするリモコン送信機を提供することを目的とする。
【０００９】
本考案は、リモコン信号の干渉を防ぎ、リモコン送信機を保護するリモコン送信機を提供することをもう一つの目的とする。
【課題を解決するための手段】
【００１０】
本考案者は前記問題点に鑑み、長期的なリモコン玩具の研究と構想を重ね、リモコン送信機を生み出した。それは、リモコン送信機と、タッチパネル式パーソナル通信機器の制御データを受信し、エンコーダに送信する伝送インタフェースと、航空制御モジュールの信号をエンコードして制御信号を生成し、無線送信モジュールに伝送するエンコーダと、エンコーダによってエンコードされた制御信号をリモコン玩具に送信する無線送信モジュールとを含んでなる。
【００１１】
伝送インタフェースは、３．５ｍｍプラグと、３０ピンコネクタと、マイクロユニバーサルシリアルバス（ＭＩＣＲＯ  ＵＳＢ）プラグインタフェースと、ミニユニバーサルシリアルバス（ＭＩＮＩ  ＵＳＢ）プラグインタフェースと、ユニバーサルシリアルバス（ＵＳＢ）と３．５ｍｍプラグの変換ケーブルとのいずれかである。
【００１２】
リモコン送信機は、更にケースを含み、ケースは、タッチパネル式パーソナル通信機器のフレーム体に被嵌し、尚且つ、外殻体と結合し、そのうち、外殻体内には、伝送インタフェースと、エンコーダと、無線送信モジュールとを含み、しかも伝送インタフェースはタッチパネル式パーソナル通信機器に配置されたリモコン送信機の短い方の端面に接続し設置する。
【００１３】
ケースは、更に折り線を備え、伝送インタフェースはタッチパネル式パーソナル通信機器の短い方の端面に相対して角度を呈する。
【００１４】
前述のリモコン送信機には、更にリモコン応用プログラムを含む。そのリモコン応用プログラムは、タッチパネル式パーソナル通信機器のメモリ内にプリインストールするか、クラウドコンピューターからのダウンロードでタッチパネル式パーソナル通信機器のメモリ内にプリインストールする。また、リモコン応用プログラムは、メインプログラムとユーザインタフェースサブプログラムとを含む。そのうち、ユーザインタフェースサブプログラムは、タッチパネル式パーソナル通信機器のタッチモニタにある複数個のプッシュボタンによる外部入力信号を受信し、メインプログラムが受信したユーザインタフェースサブプログラム信号を計算、判読した後、送信機の伝送インタフェースを通してエンコーダに送信する。
【００１５】
リモコン応用プログラムは、更に３軸重力センササブプログラムを含み、その３軸重力センササブプログラムは、タッチパネル式パーソナル通信機器の３軸重力センサのセンサ信号を受信した後、再びメインプログラムに送信する。
【００１６】
無線送信モジュールは、更に無線受信機を含み、リモコン応用プログラムには、更に学習サブプログラムを含む。そのうち、学習サブプログラムは、無線受信機を通して受信したその他リモコンのリモコン周波数をタッチパネル式パーソナル通信機器のメモリに保存する。リモコン周波数は、学習サブプログラムを通したメインプログラムによって呼び出される。
【００１７】
ユーザインタフェースサブプログラムは、複数個の方向制御ボタン、一つの加速ボタン、複数個の周波数帯選択ボタン、定方向ボタン、着陸ボタン或いはその組み合わせを含み、それはタッチパネル式パーソナル通信機器のタッチモニタに出力される。
【考案の効果】
【００１８】
以上の説明から理解できるように、本考案と公知技術を比較すると、次に示す効果が確実に達成される。
【００１９】
１.本考案は、玩具のリモコンをタッチパネル式パーソナル通信機器のリモコン送信機に整合させることができ、リモコン送信機をタッチパネル式パーソナル通信機器に取り付けるだけで、リモコン応用プログラムを起動し、玩具をリモートコントロールする。また、ユーザの利便性を高め、タッチパネル式パーソナル通信機器による娯楽性を多様化することができる。
【００２０】
２.本考案は、リモコン応用プログラムに学習サブプログラムを別に内蔵し、多種リモコンのリモコン信号周波数を受信及び整合して使用するものであり、対応させて配置した複数個の周波数帯選択ボタンをユーザーが選択すると、タッチパネル式パーソナル通信機器によって多種の玩具をリモートコントロールすることができ、ユーザーの利便性を高められる。
【００２１】
３.本考案は、タッチパネル式パーソナル通信機器の性能を十分に発揮することができる。リモコン応用プログラムをタッチパネル式パーソナル通信機器内部の重力センサ（g-sensor）に結合し、ユーザーがタッチパネル式パーソナル通信機器を揺り動かすことによって、玩具の運動方向をリモートコントロールするため、タッチパネル式パーソナル通信機器のタッチモニタに触れる必要がない。
【００２２】
４.本考案は、タッチパネル式パーソナル通信機器にケースを被嵌することで、受信障害を防ぎ、リモコン送信機が飛び出したり抜け落ちるのを防ぎ、リモコン送信機の安全性を高め、それを保護する。
【図面の簡単な説明】
【００２３】
【図１】本考案の実施例に関するリモコン送信機の構造図である。
【図２】本考案の実施例に関するリモコン応用プログラムのブロック図である。
【図３】本考案の実施例に関する３．５ｍｍプラグを示した図である。
【図４】本考案の実施例に関する３０ピンコネクタを示した図である。
【図５】本考案の実施例に関するマイクロユニバーサルシリアルバスプラグインタフェースを示した図である。
【図６】本考案の実施例に関するミニユニバーサルシリアルバスプラグインタフェースを示した図である。
【図７】本考案の実施例に関するユニバーサルシリアルバスと３．５ｍｍプラグの変換ケーブルを示した図である。
【図８】本考案の実施例に関する動作の流れを示したブロック図である。
【図９】本考案の実施例に関し、単一機器で多種玩具の操作が可能であることを示した図である。
【図１０】本考案の実施例に関し、ケースとの結合を示した分解図である。
【図１１】本考案の実施例に関し、ケースとの結合を示した分解図である。
【図１２】本考案の実施例に関し、ケースとの結合を示したもう一つの分解図である。
【図１３】本考案の実施例に関し、ケースとの結合を示したもう一つの分解図である。
【図１４】公知のリモコンの平面図である。
【考案を実施するための形態】
【実施例】
【００２４】
図１から図７の本考案の実施例に示すとおり、本考案は、リモコン送信機に関するもので、リモコン送信機１とリモコン応用プログラム４とを含む。
【００２５】
リモコン送信機１は、伝送インタフェース１１と、エンコーダ２と、無線送受信モジュール３とを備え、前記部材は外殻体１０内に配置し、伝送インタフェース１１は、外殻体１０に露出し突出する。そのうち、伝送インタフェース１１は、３．５ｍｍプラグ１１１、３０ピンコネクタ１１２、マイクロユニバーサルシリアルバスプラグインタフェース１１３或いはミニユニバーサルシリアルバスプラグインタフェース１１４とし、タッチパネル式パーソナル通信機器５に設けた対応孔に挿入し、或いはユニバーサルシリアルバスと３．５ｍｍプラグの変換ケーブル及びユニバーサルシリアルバス接続口５６を運用し、タッチパネル式パーソナル通信機器５の制御データを受信し、エンコーダ２に伝送する。
【００２６】
図３は、３．５ｍｍプラグ１１１が３．５ｍｍジャック５２に挿入された図である。
図４は、３０ピンコネクタ１１２が３０ピン接続口５３に挿入された図である。
図５は、マイクロユニバーサルシリアルバスプラグインタフェース１１３がマイクロユニバーサルシリアルバス接続口５４に挿入された図である。
図６は、ミニユニバーサルシリアルバスプラグインタフェース１１４がミニユニバーサルシリアルバス接続口５５に挿入された図である。
図７は、ユニバーサルシリアルバスと３．５ｍｍプラグの変換ケーブル１１５を運用し、その一端は３．５ｍｍジャック１１５１とし、且つリモコン送信機１の３．５ｍｍプラグ１１１に挿入され、もう一端はユニバーサルシリアルバス接続口１１５２とし、タッチパネル式パーソナル通信機器５のユニバーサルシリアルバス接続口５６に挿入された図である。
タッチパネル式パーソナル通信機器５の制御データを受信し、リモコン送信機１に伝送する。
【００２７】
エンコーダ２は、受信したタッチパネル式パーソナル通信機器５のデータをエンコードしてデータを生成した後、無線送受信モジュール３に伝送する。無線送受信モジュール３は、エンコーダ２によってエンコードされた制御信号７をリモコン玩具８に送信し、玩具８の動きをコントロールする。
【００２８】
図２及び図３に示したリモコン応用プログラム４を参照すると、該リモコン応用プログラム４は、タッチパネル式パーソナル通信機器５のメモリ内にプリインストールするか、遠隔サーバ（クラウドコンピューター）からダウンロードしてタッチパネル式パーソナル通信機器５のメモリ内にプリインストールする。また、リモコン応用プログラム４は、メインプログラム４１と、ユーザインタフェースサブプログラム４２と、学習サブプログラム４４とを含む。そのうち、ユーザインタフェースサブプログラム４２は、タッチパネル式パーソナル通信機器５のタッチモニタ５１に示された複数個のプッシュボタンのタッチ入力信号を受信し、メインプログラム４１によって受信されたユーザインタフェースサブプログラム４２のタッチ信号は、計算、判読された後、更に、リモコン送信機１に送られる。
【００２９】
また、ユーザインタフェースサブプログラム４２は、タッチパネル式パーソナル通信機器５のタッチモニタ５１に出力表示される複数個の方向操作ボタン４２１と、一つの加速ボタン４２２と、複数個の周波数帯選択ボタン４２３とを含んでいる。また、学習サブプログラム４４は、無線送受信モジュール３を通して、その他の各種玩具８とリモコンのリモコン周波数（例えば赤外線）を受信して、タッチパネル式パーソナル通信機器５のメモリ内に保存する。尚、該リモコン周波数は、適時ユーザインタフェースサブプログラム４２によって呼び出すことができる。
【００３０】
図３から図９に示すとおり、前記部材の構成による本考案のリモコン送信機１から送信されるリモコン信号は、固定周波数とすることも可能であり、玩具８がその周波数に符合すれば、コントロールを受けられる。本考案は、各種の異なる周波数を選択して送信することを可能とする。言い換えれば、タッチパネル式パーソナル通信機器５に位置するリモコン応用プログラム４を実行し（該機器は、目下流行中のアイフォン、アイパッド、アイポッド、その他のタッチパネル通信機器またはタッチパネルを備えた携帯電話とする。）、リモコン応用プログラム４と玩具８の周波数を対応させる方式で、タッチパネル式パーソナル通信機器５を学習タイプ（或いは万用タイプ）のリモコンに変身させる。本考案の送信するリモコン信号が固定式、選択式のいずれかであっても、まず、リモコン送信機１の３．５ｍｍプラグ１１１、３０ピンコネクタ１１２、マイクロユニバーサルシリアルバスプラグインタフェース１１３、ミニユニバーサルシリアルバスプラグインタフェース１１４、ユニバーサルシリアルバスと３．５ｍｍプラグの変換ケーブル１１５のいずれかをタッチパネル式パーソナル通信機器５に配置した対応孔に挿入して、タッチパネル式パーソナル通信機器５にプリインストールのリモコン応用プログラム４を実行する。メインプログラム４１がユーザインタフェースサブプログラム４２を呼び出して実行すると、タッチモニタ５１には、複数個の方向操作ボタン４２１と、加速ボタン４２２と、複数個の周波数帯選択ボタン４２３等の多種タッチプッシュボタンが表示される。ユーザがこれらのタッチプッシュボタンの方向操作ボタン４２１に接触するだけで、玩具８（例えば、リモコンヘリコプター８１、リモコン自動車８２、リモコンボート８３のいずれか一種）の運動方向をコントロールし、加速ボタン４２２によって、玩具８の加速と減速運動をコントロールし、定方向ボタン４２４によって玩具に特定方向の運動をおこなわせる。周波数帯選択ボタン４２３をタッチすることで、コントロールしたい玩具８（リモコンヘリコプター８１、リモコン自動車８２、リモコンボート８３、その他リモコン玩具を含む）を選択できる。特に説明する点であるが、リモコンヘリコプター８１またはその他の飛行玩具のリモートコントロールに応用する場合は、ユーザインタフェースサブプログラム４２には、更に着陸ボタン４２５を備え、着陸ボタン４２５によって、リモコンヘリコプター８１或いはその他飛行玩具の自動減速から着陸に至るまでをコントロールする。
【００３１】
図８及び図９に示すとおり、本考案は、タッチパネル式パーソナル通信機器５の３軸重力センサ（ｇ−ｓｅｎｓｏｒ）機能を十分に応用し、リモコン応用プログラム４には更に、３軸重力センササブプログラム４３を含み、該サブプログラムの内蔵によって、タッチパネル式パーソナル通信機器５を動かして玩具８をリモートコントロールする目的を果たす。例えば、ユーザーがタッチパネル式パーソナル通信機器５をＸ方向に揺らした時には、玩具８がＸ方向に動き、Ｙ方向に揺らした時には、玩具８がＹ方向に動く。これにより、ユーザーはタッチ方向によって方向操作ボタン４２１を操作せずに、玩具８の運動方向をコントロールすることができる。
【００３２】
図１０及び図１１に示すとおり、本考案のリモコン送信機１は、ケース６と一体成形することも可能である。また、ケース６は、ゴム材質によって製作し、事前に、リモコン送信機１の３．５ｍｍプラグ１１１或いは３０ピンコネクタ１１２をタッチパネル式パーソナル通信機器５に配置した対応孔に挿入した後、ケース６を調整してタッチパネル式パーソナル通信機器５の周囲に被嵌する。ケース６には弾性効果を備えさせてあるため、更に操作を簡単容易にし、尚且つ、タッチパネル式パーソナル通信機器５の受信障害を防ぐ。
【００３３】
図１２及び図１３に示すとおり、本考案のリモコン送信機１の外殻体１０は、ケース６と一体成形し、しかも相互に特定の角度θを呈する。また、ケース６は、ゴム材質によって製作し、折り線６１を備え、リモコン送信機１の３．５ｍｍプラグ１１１或いは３０ピンコネクタ１１２をタッチパネル式パーソナル通信機器５に配置した対応孔に挿入した後、ケース６を調整してタッチパネル式パーソナル通信機器５の周囲に被嵌する。ケース６には弾性効果を備えさせてあるため、更に操作を簡単容易にし、尚且つ、タッチパネル式パーソナル通信機器５の受信障害を防ぐ。
【符号の説明】
【００３４】
１    リモコン送信機
１１    伝送インタフェース
１１１    ３．５ｍｍプラグ
１１２  ３０ピンコネクタ
１１３    マイクロユニバーサルシリアルバスプラグインタフェース
１１４    ミニユニバーサルシリアルバスプラグインタフェース
１１５    ユニバーサルシリアルバスと３．５ｍｍプラグの変換ケーブル
１１５１  ３．５ｍｍジャック
１１５２  ユニバーサルシリアルバス接続口
２    エンコーダ
３    無線送受信モジュール
４    リモコン応用プログラム
４１    メインプログラム
４２    ユーザインタフェースサブプログラム
４２１  方向操作ボタン
４２２  加速ボタン
４２３  周波数帯選択ボタン
４２４  定方向ボタン
４２５  着陸ボタン
４３    ３軸重力センササブプログラム
４４    学習サブプログラム
５    タッチパネル式パーソナル通信機器
５１    タッチモニタ
５２    ３．５ｍｍジャック
５３    ３０ピン接続口
５４      マイクロユニバーサルシリアルバス接続口
５５      ミニユニバーサルシリアルバス接続口
５６      ユニバーサルシリアルバス接続口
６    ケース
６１      折り線
７    制御信号
８    玩具
８１    リモコンヘリコプター
８２    リモコン自動車
８３    リモコンボート
θ        特定の角度
９    公知のリモコン
９１    方向制御ボタン
９２    周波数帯選択ボタン
９３    プッシュボタン
９４    加速ボタン
【手続補正２】
【補正対象書類名】実用新案登録請求の範囲
【補正対象項目名】全文
【補正方法】変更
【補正の内容】
【実用新案登録請求の範囲】
【請求項１】
伝送インタフェースと、前記伝送インタフェースに連結され、前記伝送インタフェースが受信した制御データをエンコードして制御信号を生成するエンコーダと、前記エンコーダに連結され、前記エンコーダによってエンコードされた制御信号をリモコン玩具に送信してリモコン玩具の制御をする無線送信モジュールとを含んでいることを特徴とするリモコン送信機。
【請求項２】
前記伝送インタフェースは、３．５ｍｍプラグと、３０ピンコネクタと、マイクロユニバーサルシリアルバスプラグインタフェースと、ミニユニバーサルシリアルバスプラグインタフェースと、ユニバーサルシリアルバスと３．５ｍｍプラグの変換ケーブルとのいずれかであることを特徴とする請求項１に記載のリモコン送信機。
【請求項３】
更にケースを含み、前記ケースは、前記タッチパネル式パーソナル通信機器のフレーム体に被嵌し、尚且つ、外殻体と結合し、前記外殻体内には、前記伝送インタフェースと、前記エンコーダと、前記無線送信モジュールとを含み、しかも前記伝送インタフェースはリモコン送信機の短い方の端面に接続し設置することを特徴とする請求項１に記載のリモコン送信機。
【請求項４】
前記ケースは、更に折り線を備え、前記伝送インタフェースは前記タッチパネル式パーソナル通信機器の短い方の端面に相対して角度を呈することを特徴とする請求項３に記載のリモコン送信機。
【請求項５】
更にリモコン応用プログラムを含み、前記リモコン応用プログラムは、前記タッチパネル式パーソナル通信機器のメモリ内にプリインストールするか、クラウドコンピューターからのダウンロードで前記タッチパネル式パーソナル通信機器のメモリ内にプリインストールし、
また、前記リモコン応用プログラムは、メインプログラムとユーザインタフェースサブプログラムとを含み、
そのうち、前記ユーザインタフェースサブプログラムは、前記タッチパネル式パーソナル通信機器のタッチモニタにある複数個のプッシュボタンによる外部入力信号を受信し、前記メインプログラムは、受信したユーザインタフェースサブプログラム信号を計算、判読後、送信機の前記伝送インタフェースを通して前記エンコーダに送信することを特徴とする請求項１に記載のリモコン送信機。
【請求項６】
前記リモコン応用プログラムは、更に３軸重力センササブプログラムを含み、前記３軸重力センササブプログラムは、前記タッチパネル式パーソナル通信機器の３軸重力センサのセンサ信号を受信した後、前記メインプログラムに送信することを特徴とする請求項５に記載のリモコン送信機。
【請求項７】
前記無線送信モジュールは、更に無線受信機を含み、リモコン応用プログラムには、更に学習サブプログラムを含み、
そのうち、前記学習サブプログラムは、前記無線受信機を通して受信したその他リモコンのリモコン周波数を前記タッチパネル式パーソナル通信機器のメモリに保存し、前記リモコン周波数は、前記学習サブプログラムを通したメインプログラムによって呼び出されることを特徴とする請求項３、或いは請求項５に記載のリモコン送信機。
【請求項８】
前記ユーザインタフェースサブプログラムは、複数個の方向制御ボタン、一つの加速ボタン、複数個の周波数帯選択ボタン、或いはその組み合わせを含み、それは前記タッチパネル式パーソナル通信機器のタッチモニタに出力されることを特徴とする請求項５、或いは請求項６、或いは請求項７に記載のリモコン送信機。
【請求項９】
前記ユーザインタフェースサブプログラムには、更に定方向ボタンを含むことを特徴とする請求項５に記載のリモコン送信機。
【請求項１０】
前記ユーザインタフェースサブプログラムには、更に着陸ボタンを含むことを特徴とする請求項５に記載のリモコン送信機。